(57)【要約】  データ収集装置（２０）は、設備機器制御システム（１）を構成する設備機器（１０、１１）の運転データを収集する。データ収集装置（２０）は、監視装置（３０）からの収集データ要求コマンドを受信すると、収集した複数の運転データの中から、当該収集データ要求コマンドによって指定された種別の運転データを１又は複数読み出し、これを所定態様で格納した応答データを監視装置（３０）に送信する。監視装置（３０）は、ユーザにより、運転データの監視を要求する操作入力が行われると、当該ユーザに開示可能な運転データの種別の中から、所望の運転データの種別を当該ユーザに選択させ、選択された運転データの種別を指定した収集データ要求コマンドをデータ収集装置（２０）に送信する。そして、監視装置（３０）は、データ収集装置（２０）からの応答データを受信すると、当該応答データに含まれる１又は複数の運転データを所定態様で表示する。
2013042246.tif 000002
【特許請求の範囲】
【請求項１】
データ収集装置と、監視装置と、を備える遠隔監視システムであって、
前記データ収集装置は、
設備機器制御システムを構成する設備機器とデータ通信を行う機器通信部と、
前記監視装置とデータ通信を行う第１の遠隔通信部と、
前記設備機器の運転状態を示す運転データを収集する運転データ収集部と、
前記運転データ収集部が収集した前記運転データを記憶する運転データ記憶部と、
前記監視装置から送信された、収集した運転データの送信を要求する収集データ要求コマンドを受信すると、前記運転データ記憶部から、当該収集データ要求コマンドによって指定された種別の運転データを１又は複数読み出し、読み出した１又は複数の運転データを所定態様で格納した応答データを前記第１の遠隔通信部を介して前記監視装置に送信する運転データ送信部と、を備え、
前記監視装置は、
前記データ収集装置とデータ通信を行う第２の遠隔通信部と、
ユーザからの操作入力を受け付ける操作受付部と、
ユーザ毎に開示可能な運転データの種別が定義されたユーザデータテーブルを記憶するユーザデータ記憶部と、
ユーザにより、運転データの監視を要求する操作入力が行われると、当該ユーザに開示可能な運転データの種別の中から、所望の運転データの種別を当該ユーザに選択させ、少なくとも前記選択された運転データの種別を指定した前記収集データ要求コマンドを生成し、生成した収集データ要求コマンドを前記第２の遠隔通信部を介して前記データ収集装置に送信する運転データ要求部と、
前記データ収集装置から送信された前記応答データを受信すると、当該応答データに含まれる１又は複数の運転データを所定態様で表示装置に表示させる運転データ表示部と、を備える遠隔監視システム。
【請求項２】
前記データ収集装置の前記運転データ送信部は、前記１又は複数の運転データを所定の方式で圧縮した圧縮データを生成し、生成した圧縮データを前記応答データに格納し、
前記監視装置の前記運転データ表示部は、前記応答データを受信すると、当該応答データに含まれる前記圧縮データを伸張して、１又は複数の運転データを復元し、復元した１又は複数の運転データを所定態様で前記表示装置に表示させる請求項１に記載の遠隔監視システム。
【請求項３】
前記運転データ要求部は、ユーザに、前記所望する種別の運転データについて、所望の収集期間をさらに選択させ、前記選択された運転データの種別と、前記選択された収集期間と、を指定した収集データ要求コマンドを生成し、生成した収集データ要求コマンドを前記第２の遠隔通信部を介して前記データ収集装置に送信する請求項１又は２に記載の遠隔監視システム。
【請求項４】
前記データ収集装置は、複数存在し、それぞれ異なる設備機器制御システムに対応し、
前記ユーザデータテーブルには、さらに、ユーザ毎にアクセスが可能なデータ収集装置が定義されており、
前記運転データ要求部は、ユーザにより、運転データの監視を要求する操作入力が行われると、当該ユーザによるアクセスが可能でないデータ収集装置に前記収集データ要求コマンドを送信しない請求項１乃至３の何れか１項に記載の遠隔監視システム。
【請求項５】
設備機器制御システムを構成する設備機器とデータ通信を行う機器通信部と、
監視装置とデータ通信を行う遠隔通信部と、
前記設備機器の運転状態を示す運転データを収集する運転データ収集部と、
前記運転データ収集部が収集した前記運転データを記憶する運転データ記憶部と、
前記監視装置から送信された、収集した運転データの送信を要求する収集データ要求コマンドを受信すると、前記運転データ記憶部から、当該収集データ要求コマンドによって指定された種別の運転データを１又は複数読み出し、読み出した１又は複数の運転データを所定態様で格納した応答データを前記遠隔通信部を介して前記監視装置に送信する運転データ送信部と、を備えるデータ収集装置。
【請求項６】
前記運転データ送信部は、前記１又は複数の運転データを所定の方式で圧縮した圧縮データを生成し、生成した圧縮データを前記応答データに格納する請求項５に記載のデータ収集装置。
【請求項７】
設備機器制御システムを構成する設備機器の運転状態を示す運転データを収集するデータ収集装置とデータ通信を行う遠隔通信部と、
ユーザからの操作入力を受け付ける操作受付部と、
ユーザ毎に開示可能な運転データの種別が定義されたユーザデータテーブルを記憶するユーザデータ記憶部と、
ユーザにより、運転データの監視を要求する操作入力が行われると、当該ユーザに開示可能な運転データの種別の中から、所望の運転データの種別を当該ユーザに選択させ、少なくとも前記選択された運転データの種別を指定した収集データ要求コマンドを生成し、生成した収集データ要求コマンドを前記遠隔通信部を介して前記データ収集装置に送信する運転データ要求部と、
前記収集データ要求コマンドに対して前記データ収集装置から送信された応答データを受信すると、当該応答データに含まれる１又は複数の運転データを所定態様で表示装置に表示させる運転データ表示部と、を備える監視装置。
【請求項８】
前記運転データ表示部は、前記応答データを受信すると、当該応答データに含まれる圧縮データを伸張して、１又は複数の運転データを復元し、復元した１又は複数の運転データを所定態様で前記表示装置に表示させる請求項７に記載の監視装置。
【発明の詳細な説明】
【技術分野】
【０００１】
本発明は、設備機器制御システムを構成する空調機器や照明機器等の各種設備機器の運転状態の監視を遠隔から実施するための遠隔監視システム、データ収集装置及び監視装置に関する。
【背景技術】
【０００２】
従来より、ビル等に導入される、いわゆる設備機器制御システムにおける各設備機器の運転状態を示すデータ（以降、運転データと記す）を収集するデータ収集装置が知られている。【０００３】
上記の場合、設備機器制御システムのメンテナンス等の作業を行う作業者は、定期的に当該データ収集装置が設置されている現場（例えば、当該設備機器制御システムを導入しているビル内の所定の場所）に赴いて作業する必要がある。即ち、作業者は、データ収集装置により収集された運転データを、その場で確認したり、あるいは詳細に解析するために携帯情報端末等に保存する等の作業を行う必要がある。このため、非常に手間がかかる作業であるといえる。【０００４】
そこで、作業員が現場に赴く必要がなく、且つ、迅速に運転データを確認できるよう、運転データを遠隔から監視する技術が種々提案されている。【０００５】
例えば、特許文献１には、運転データの収集項目を定義した項目定義ファイルを保持し、これを解釈することで、収集項目に沿った運転データを収集するデータ収集装置が提案されている。【０００６】
また、特許文献２には、空調機器に関する運転データを圧縮して送信するステーションと、このステーションと接続され、運転データを受信する管理装置と、から構成される設備機器制御システムが提案されている。
【先行技術文献】
【特許文献】
【０００７】
【特許文献１】特開２００９−１３４６９９号公報
【特許文献２】特許３７３１１２０号公報
【発明の概要】
【発明が解決しようとする課題】
【０００８】
しかしながら、特許文献１のデータ収集装置は、収集する運転データを定義する機能は備わっているものの、収集した運転データを選別することなく、定期的に送信する。このため、収集対象としている運転データの量によっては、通信量が非常に大きくなる可能性がある。【０００９】
また、特許文献２の設備機器制御システムでは、運転データを圧縮することで通信量は低減できるものの、運転データをリアルタイムに送信し続ける構成のため、ステーションと管理装置とは常時接続されている必要がある。このため、ステーションと管理装置との間の通信に、従量制の料金体系を採用している通信サービスを利用せざるを得ない場合では、通信料金が非常に高くなるという問題があった。【００１０】
ところで、運転データの監視作業において、作業者（ユーザ）には、設備機器制御システムのメンテナンスを行うエンジニア、設備機器制御システムが設置されたビルの管理者などが想定される。一般に、こういったユーザの違いにより、運転データを積極的に開示できる範囲が異なることがある。例えば、設備機器制御システムの提供（販売）元から委託等されたエンジニアには、特に範囲に囚われることなく、あらゆる種類の運転データを開示してもよいが、ビルの管理者には、機密保持の観点等から、設定温度・室内温度などの一部の基本的な運転データしか開示したくない場合等がある。しかしながら、この点について、有効な技術提案が未だなされていないのが実情である。【００１１】
この発明は、上記従来の課題を解決するために提案されたものであり、設備機器制御システムを構成する設備機器の運転データの遠隔監視において、通信負荷を低減でき、機密保持性等の強化も図れる遠隔監視システム等を提供することを目的とする。
【課題を解決するための手段】
【００１２】
上記目的を達成するため、本発明に係る遠隔監視システムは、
データ収集装置と、監視装置と、を備える遠隔監視システムであって、
前記データ収集装置は、
設備機器制御システムを構成する設備機器とデータ通信を行う機器通信部と、
前記監視装置とデータ通信を行う第１の遠隔通信部と、
前記設備機器の運転状態を示す運転データを収集する運転データ収集部と、
前記運転データ収集部が収集した前記運転データを記憶する運転データ記憶部と、
前記監視装置から送信された、収集した運転データの送信を要求する収集データ要求コマンドを受信すると、前記運転データ記憶部から、当該収集データ要求コマンドによって指定された種別の運転データを１又は複数読み出し、読み出した１又は複数の運転データを所定態様で格納した応答データを前記第１の遠隔通信部を介して前記監視装置に送信する運転データ送信部と、を備え、
前記監視装置は、
前記データ収集装置とデータ通信を行う第２の遠隔通信部と、
ユーザからの操作入力を受け付ける操作受付部と、
ユーザ毎に開示可能な運転データの種別が定義されたユーザデータテーブルを記憶するユーザデータ記憶部と、
ユーザにより、運転データの監視を要求する操作入力が行われると、当該ユーザに開示可能な運転データの種別の中から、所望の運転データの種別を当該ユーザに選択させ、少なくとも前記選択された運転データの種別を指定した前記収集データ要求コマンドを生成し、生成した収集データ要求コマンドを前記第２の遠隔通信部を介して前記データ収集装置に送信する運転データ要求部と、
前記データ収集装置から送信された前記応答データを受信すると、当該応答データに含まれる１又は複数の運転データを所定態様で表示装置に表示させる運転データ表示部と、を備える。
【発明の効果】
【００１３】
本発明によれば、設備機器制御システムを構成する設備機器の運転データの遠隔監視において、作業者等のユーザの種別に応じて運転データの開示範囲が制限され、さらに、ユーザが選択した運転データのみがデータ収集装置から監視装置に送信される。したがって、通信負荷を低減でき、機密保持や誤操作の防止も図れる。
【図面の簡単な説明】
【００１４】
【図１】本発明の実施の形態に係る遠隔監視システムと、その遠隔監視システムに接続された設備機器制御システムの構成を示す図である。
【図２】データ収集装置の構成を示すブロック図である。
【図３】運転データテーブルの一例を示す図である。
【図４】監視装置の構成を示すブロック図である。
【図５】ユーザデータテーブルの一例を示す図である。
【図６】ユーザ認証画面の一例を示す図である。
【図７】接続対象選択画面の一例を示す図である。
【図８】接続対象選択画面における入力例を示す図である。
【図９】一覧データの一例を示す図である。
【図１０】運転データ取得候補について説明するための図である。
【図１１】運転データ選択画面の一例を示す図である。
【図１２】運転データ選択画面における入力例を示す図である。
【図１３】データ収集装置の処理手順を示すフローチャートである。
【図１４】監視装置の処理手順を示すフローチャートである。
【発明を実施するための形態】
【００１５】
以下、本発明の一実施の形態に係る設備制御装置について図面を参照して詳細に説明する。
【００１６】
図１は、本発明の実施の形態に係る遠隔監視システム２と、その遠隔監視システム２に接続された設備機器制御システム１の構成を示す図である。
【００１７】
設備機器制御システム１は、例えば、オフィスビル内に設置され、室外機１０と、複数の室内機１１（１１Ａ，１１Ｂ，…）と、複数のリモコン１２（１２Ａ，１２Ｂ，…）と、から構成される。室外機１１及び各室内機１２は、通信線３を介して、相互に通信可能となるように接続されている。また、図示はしないが、室外機１０と各室内機１１とは、冷媒を循環させるための冷媒配管により接続されている。
【００１８】
室内機１１は、対応するリモコン１２からの操作信号に基づいた運転動作を行う。具体的には、室内機１１は、かかる操作信号に従って、冷房、暖房、除湿、送風等の運転モードを切り替え、設定された温度の空気を設定された風量で吹き出す動作を行う。また、室内機１１は、リモコン１２からの操作信号に基づいて変更した動作状態を示すデータ（状態変更データ）を室外機１０に送信する。さらに、室内機１１は、遠隔監視システム２の後述するデータ収集装置２０から、運転データを要求するコマンド（運転データ要求コマンド）を受信すると、現在の運転状態を示すデータ（運転データ）をデータ収集装置２０に送信する。
【００１９】
リモコン１２は、室内機１１をユーザが所望する設定条件で運転動作させるためのリモートコントローラである。リモコン１２は、本例のように、室内機１１毎に１台ずつ用意された構成にしてもよいし、１台のリモコン１２が複数台の室内機１１に対応する構成であってもよい。
【００２０】
室外機１０は、室内機１１からの状態変更データを受信すると、当該状態変更データが示す動作状態で当該室内機１１が稼働できるように、自機を構成する各部（コンプレッサ、凝縮器、膨張弁、蒸発器等）の動作状態を調整する。また、データ収集装置２０からの運転データ要求コマンドを受信すると、自機の現在の運転データをデータ収集装置２０に送信する。
【００２１】
上述した室外機１０と各室内機１１には、図１に示すように、各設備機器を識別するための情報（機器アドレス）が割り振られている。
【００２２】
遠隔監視システム２は、データ収集装置２０と、監視装置３０と、から構成される。データ収集装置２０と監視装置３０は、所定のネットワーク４０を介して、データ通信可能に接続されている。また、データ収集装置２０と、設備機器制御システム１の各設備機器（室外機１０、室内機１１Ａ，１１Ｂ，…）とは、通信線３を介してデータ通信可能に接続されている。
【００２３】
ネットワーク４０は、インターネット等の広域ネットワークであってもよいし、ＬＡＮ（Local Area Network）等であってもよい。また、データ収集装置２０と監視装置３０間の通信は、有線又は無線の何れの方式も採用し得る。
【００２４】
なお、図示はしないが、ネットワーク４０には、複数のデータ収集装置２０が接続される。そして、各データ収集装置２０は、それぞれ、異なる設備機器制御システム１と接続して、対応する設備機器制御システム１から運転データの収集を行う。
【００２５】
データ収集装置２０は、設備機器制御システム１から、各設備機器の運転データを収集する装置である。図２に示すように、データ収集装置２０は、機器通信部２００と、遠隔通信部２１０と、制御部２２０と、運転データ記憶部２３０と、を備える。
【００２６】
機器通信部２００は、例えば、ネットワークカード等の通信用インタフェースを備え、通信線３を介して、設備機器制御システム１の各設備機器とデータ通信を行う。機器通信部２００は、例えば、制御部２２０からの指令に基づき、上述した運転データ要求コマンドを、指定された設備機器に対して送信する。また、機器通信部２００は、設備機器から送信された運転データを受信する。なお、機器通信部２００と設備機器制御システム１の各設備機器との間のデータ通信が、所定の無線方式によるものであってもよい。
【００２７】
遠隔通信部２１０（第１の遠隔通信部）は、例えば、ネットワークカードやデータ通信カード等の通信用インタフェースを備え、ネットワーク４０を介して、後述する監視装置３０とデータ通信を行う。
【００２８】
制御部２２０は、何れも図示しないが、ＣＰＵ（Central Processing Unit）、ＲＯＭ（Read Only Memory）、ＲＡＭ（Random Access Memory）等を備える。制御部２２０は、機器制御システム１から運転データを収集する。また、制御部２２０は、監視装置３０からの要求に応答して、収集した運転データや、その他の保持するデータを遠隔通信部２１０を介して監視装置３０に送信する。制御部２２０は、機能的には、運転データ収集部２２１と、一覧データ送信部２２２と、運転データ送信部２２３と、を備える。これらの各機能部の詳細については後述する。
【００２９】
運転データ記憶部２３０は、例えば、読み書き可能な不揮発性の半導体メモリやハードディスクドライブ等から構成され、機器制御システム１から収集した運転データを所定態様で記憶する。本実施の形態では、収集された運転データは、運転データテーブル２３１に格納される。
【００３０】
運転データテーブル２３１は、図３に示すように、機器アドレス２３１０と、種別ＩＤ２３１１と、取得時刻２３１２と、データ値２３１３と、から構成されるレコードが複数エントリされたデータテーブルである。
【００３１】
機器アドレス２３１０は、上述したように、当該設備機器制御システム１の各設備機器を識別するための情報である。本実施の形態では、図１及び図３に示すように、室外機１０に“５０ｈ”が割り振られ、室内機１１Ａ及び１１Ｂには、それぞれ、“５１ｈ”及び“５２ｈ”が割り振られている。
【００３２】
種別ＩＤ２３１１は、例えば、冷媒温度、設定温度や運転モード等、設備機器における運転データの種別を示すＩＤである。本実施の形態では、冷媒温度は“ａ０１”、設定温度は“ａ０４”、運転モードは“ａ０６”等といったように示される。取得時刻２３１２は、当該運転データを設備機器制御システム１から取得した日時を示すデータである。
【００３３】
データ値２３１３は、種別ＩＤ２３１１で示される運転データの値である。データ値２３１３は、例えば、種別ＩＤ２３１１が運転モードを示す場合では、停止：０、冷房：１、暖房：２、送風：３、除湿：４等のように、運転モードの種別に応じて予め決められた値で示される。また、種別ＩＤ２３１１が冷媒温度や設定温度等を示す場合では、データ値は、温度の値（単位：℃）を示す。
【００３４】
なお、上記の運転データテーブル２３１の構成に限定はない。例えば、プログラミング言語において通常実装されているハッシュテーブル機能により実現してもよい。あるいは、運転データ記憶部２３０が、機器アドレス２３１０、種別ＩＤ２３１１、取得日時２３１２のそれぞれの値と配列インデックスとを対応付けるテーブルを記憶するようにし、データ値２３１３は、これらの３次元配列として格納されるようにしてもよい。
【００３５】
運転データ収集部２２１は、所定時間（例えば、５分）毎に、設備機器制御システム１の各設備機器（室外機１０、室内機１１Ａ，１１Ｂ，…）に対する運転データ要求コマンドを生成し、機器通信部２００を介して、各設備機器に送信する。そして、かかる運転データ要求コマンドに応答して各設備機器から送信された運転データを機器通信部２００が受信すると、運転データ収集部２２１は、かかる運転データから、機器アドレス、種別ＩＤ及びデータ値を抽出する。そして、運転データ収集部２２１は、抽出したこれらのデータと現在日時を、運転データ記憶部２３０に記憶されている運転データテーブル２３１に格納する。
【００３６】
一覧データ送信部２２２は、監視装置３０からの一覧データ要求コマンドを遠隔通信部２１０を介して受けると、運転データ記憶部２３０から一覧データを読み出し、これを格納した応答データを遠隔通信部２１０を介して監視装置３０に送信する。一覧データ要求コマンドとは、機器アドレスと対応する種別ＩＤの一覧データを要求するコマンドである。データ収集装置２０は、機器アドレスと、種別ＩＤとが対応付けられたデータ（一覧データ）を予め運転データ記憶部２３０に保存しているものとする。
【００３７】
運転データ送信部２２３は、監視装置３０からの収集データ要求コマンドを遠隔通信部２１０を介して受けると、運転データ記憶部２３０の運転データテーブル２３１から所定条件の下で運転データを読み出し、これを格納した応答データを遠隔通信部２１０を介して監視装置３０に送信する。
【００３８】
収集データ要求コマンドとは、データ収集装置２０により収集された運転データを要求するコマンドである。この収集データ要求コマンドには、機器アドレスと、種別ＩＤと、収集期間と、が設定されている。運転データ送信部２２３は、収集データ要求コマンドに設定されているこれらの情報に基づいて、運転データ記憶部２３０の運転データテーブル２３１から要求対象となる１又は複数の運転データを読み出す。
【００３９】
運転データ送信部２２３は、運転データテーブル２３１から読み出した１又は複数の運転データを所定のアルゴリズムにより圧縮した圧縮データを生成する。そして、運転データ送信部２２３は、これを格納した応答データを監視装置３０に送信する。
【００４０】
監視装置３０は、複数のデータ収集装置２０とネットワーク４０を介して接続し、各データ収集装置２０が各々対応する設備機器制御システム１から収集した運転データを取得し、ユーザ（作業者）に提示する装置である。
【００４１】
図４に示すように、監視装置３０は、遠隔通信部３００と、表示部３１０と、制御部３２０と、操作受付部３３０と、ユーザデータ記憶部３４０と、を備える。
【００４２】
遠隔通信部３００（第２の遠隔通信部）は、例えば、ネットワークカードやデータ通信カード等の通信用インタフェースを備え、ネットワーク４０を介して、上述したデータ収集装置２０とデータ通信を行う。
【００４３】
表示部３１０は、例えば、ＣＲＴディスプレイや液晶ディスプレイ等の表示装置であり、制御部３２０の制御の下、ユーザ操作用の画面や、データ収集装置２０から送られてきた運転データ等の表示を行う。
【００４４】
制御部３２０は、何れも図示しないが、ＣＰＵ、ＲＯＭ、ＲＡＭ等を備える。制御部３２０は、ユーザ（作業者）の操作により、一覧データ要求コマンドや収集データ要求コマンドをデータ収集装置２０に送信する。また、制御部３２０は、これらのコマンドに対して、データ収集装置２０から送られてきた応答データを解析し、その内容（一覧データや運転データ等）を所定態様で表示部３１０に表示させる。制御部３２０は、機能的には、ユーザ認証部３２１と、一覧データ要求部３２２と、運転データ要求部３２３と、運転データ表示部３２４と、を備える。これらの各機能部の詳細については後述する。
【００４５】
操作受付部３３０は、例えば、キーボード、マウス、キーパッド、タッチパッドやタッチパネル等で構成され、作業者からの入力操作を受け付け、受け付けた入力操作に係る信号（操作信号）を制御部３２０に送出する。
【００４６】
ユーザデータ記憶部３４０は、例えば、読み書き可能な不揮発性の半導体メモリやハードディスクドライブ等から構成され、ユーザデータテーブル３４１や他の様々なデータを記憶する。ユーザデータテーブル３４１は、図５に示すように、種別ＩＤ３４１０と、パスワード３４１１と、接続可能範囲３４１２と、開示可能範囲３４１３と、から構成されるレコードが複数エントリされたデータテーブルである。
【００４７】
種別ＩＤ３４１０は、作業者の種別を示すＩＤである。本実施の形態では、エンジニア、ビル管理者Ａ及びＢに、それぞれ、“ｂ０１”、“ｂ０２”及び“ｂ０３”が割り振られている。パスワードは、予め、作業者の種別毎に登録されており、後述する作業者の認証処理時に使用される。パスワードは、例えば、ローマ字と数字を組み合わせた７つの文字で構成される。接続可能範囲３４１２は、当該作業者の操作によりアクセス可能な、即ち、データの送受が可能なデータ収集装置２０が定義された情報である。接続可能範囲３４１２には、各データ収集装置２０に予め割り振られた装置ＩＤ（“ｃ０１”〜“ｃ０４”）が設定される。
【００４８】
図５の例では、作業者がエンジニアであれば、“ｃ０１”〜“ｃ０４”の４つのデータ収集装置２０とデータの送受を行うことが可能であることが判る。また、作業者がビル管理者Ａであれば、“ｃ０１”及び“ｃ０２”の２つのデータ収集装置２０とデータの送受を行うことが可能であり、作業者がビル管理者Ｂであれば、“ｃ０３”及び“ｃ０４”の２つのデータ収集装置２０とデータの送受を行うことが可能であることが示されている。
【００４９】
開示可能範囲３４１３は、当該作業者に開示できる運転データの種別が定義された情報である。開示可能範囲３４１３には、上述した運転データの種別を示すＩＤが設定される。図５の例では、作業者がエンジニアであれば、“ａ０１”〜“ａ０７”（冷媒温度、冷媒圧力、室外温度、設定温度、室内温度、運転モード、弁開度）の７つの種別の運転データの開示が可能であることが判る。また、作業者がビル管理者Ａ又はＢであれば、“ａ０４”〜“ａ０６”の３つの種別の運転データの開示が可能であることが示されている。
【００５０】
ユーザ認証部３２１は、監視装置３０を使用する作業者の認証を行う。ユーザ認証部３２１は、作業者により、運転データの監視を行うための所定の操作が操作受付部３３０を介して行われると、図６に示すようなユーザ認証画面６０１を表示部３１０を介して表示する。作業者は、操作受付部３３０を介して、ユーザ種別入力フィールド６０２及びパスワード入力フィールド６０３に、自己の種別ＩＤ及びパスワードを入力する。なお、ユーザ種別入力フィールド６０２においては、種別ＩＤではなく、種別名（例えば、エンジニア）を入力する仕様にしてもよい。あるいは、種別ＩＤ又は種別名をリスト表示し、その中から作業者に選択させる仕様にしてもよい。
【００５１】
作業者により、ユーザ種別入力フィールド６０２及びパスワード入力フィールド６０３への入力が行われ、ＯＫボタン６０４が押下操作されると、ユーザ認証部３２１は、ユーザデータテーブル３４１を参照して、入力された内容（種別ＩＤ、パスワード）が正しいか否かの判定を行う。入力内容が正しくない場合、ユーザ認証部３２１は、その旨のエラーメッセージを表示部３１０に表示させ、再度、作業者にユーザ種別入力フィールド６０２及びパスワード入力フィールド６０３への入力を促す。
【００５２】
一方、入力内容が正しい場合、ユーザ認証部３２１は、認証した当該作業者の種別ＩＤを一覧データ要求部３２２に通知する。かかる通知を受けると、一覧データ要求部３２２は、ユーザデータテーブル３４１を参照して、種別ＩＤ３４１０が、通知された種別ＩＤと一致するレコードから、接続可能範囲３４１２の内容を読み出す。そして、一覧データ要求部３２２は、図７に示すような接続対象選択画面７０１を表示部３１０を介して表示する。
【００５３】
図７の例では、当該作業者の種別がビル管理者Ａである場合を示している。作業者は、操作受付部３３０を介して、チェックボックス７０２、７０３にチェックを入れる操作を行うことで、接続を希望するデータ収集装置２０を選択することができる。例えば、装置ＩＤが“ｃ０１”のデータ収集装置２０を選択したい場合、作業者は、チェックボックス７０２にチェックを入れる操作を行う。そうすると、チェックボックス７０２には、図８に示すように、チェックマークが表示される。なお、装置ＩＤに代えて、あるいは併用して、各データ収集装置２０を特定できる名称等（例えば、設置されている場所等）を表示してもよい。このようにすれば、作業者は、装置ＩＤとデータ収集装置２０との対応関係が判らなくても、所望のデータ収集装置２０を選択することができる。
【００５４】
作業者によりＯＫボタン７０４が押下操作されると、一覧データ要求部３２２は、チェックボックス７０２及び７０３の少なくとも何れかにチェックが入れられているか否かを判定する。何れのチェックボックスにもチェックが入れられていない場合、一覧データ要求部３２２は、その旨のエラーメッセージを表示部３１０に表示させ、再度、作業者にチェックボックスへのチェックを促す。
【００５５】
一方、チェックボックス７０２及び７０３の少なくとも何れかにチェックが入れられている場合、一覧データ要求部３２２は、チェックが入れたチェックボックスに対応するデータ収集装置２０に対して、一覧データ要求コマンドを遠隔通信部３００を介して送信する。
【００５６】
しかる後、この一覧データ要求コマンドに対する応答データが、データ収集装置２０から送られてくると、一覧データ要求部３２２は、当該応答データから一覧データを抽出する。この一覧データは、上述したように、当該データ収集装置２０における、機器アドレスと、運転データの種別を示す種別ＩＤとの対応関係を示すデータである。一覧データ要求部３２２は、ユーザデータテーブル３４１を参照して、当該作業者の種別に対応するレコードから、開示可能範囲３４１３の内容を読み出し、当該開示可能範囲３４１３の内容と、当該一覧データと、に基づいて、当該作業者が選択可能な運転データ（以下、運転データ取得候補と呼ぶ。）を取得する。
【００５７】
例えば、一覧データの内容が図９に示すようなものであり、当該作業者がビル管理者Ａの場合、一覧データ要求部３２２により取得される運転データ取得候補は、図１０に示すようになる。
【００５８】
一覧データ要求部３２２は、取得した運転データ取得候補を運転データ要求部３２３に供給する。運転データ要求部３２３は、一覧データ要求部３２２により供給された運転データ取得候補に基づいて、図１１に示すような運転データ選択画面１１０１を生成し、表示部３１０を介して表示する。
【００５９】
図１１の運転データ選択画面１１０１において、チェックボックス１１０２及び１１０３は、作業者が運転データの取得を希望する設備機器を選択するために使用される。チェックボックス１１０２は、機器アドレス“５１ｈ”の設備機器に対応し、チェックボックス１１０３は、機器アドレス“５２ｈ”の設備機器に対応する。また、チェックボックス１１０４〜１１０９は、作業者が取得を希望する運転データの種別を選択するために使用される。チェックボックス１１０４〜１１０６は、機器アドレス“５１ｈ”の設備機器に対応し、チェックボックス１１０７〜１１０９は、機器アドレス“５２ｈ”の設備機器に対応する。
【００６０】
開始日時入力フィールド１１１０及び終了日時入力フィールド１１１１は、作業者が運転データの収集期間を指定するための使用される。ここでいう収集期間とは、作業者が希望する運転データが、当該データ収集装置２０で取得された期間をいう。
【００６１】
なお、設備アドレスに代えて、あるいは併用して、設備機器の名称（例えば、“室内機Ａ”等）を表示してもよい。同様に、運転データの種別ＩＤに代えて、あるいは併用して、運転データの種別名（例えば、“設定温度”等）を表示してもよい。また、運転データの収集期間は、設備機器毎に指定できるようにしてもよいし、運転データの種別毎に指定できるようにしてもよい。
【００６２】
作業者によりＯＫボタン１１１２が押下操作されると、運転データ要求部３２３は、作業者により正しい入力が行われたか否かを判定する。例えば、チェックボックス１１０２及びチェックボックス１１０３の何れにもチェックが入れられていない場合、運転データ要求部３２３は、その旨のエラーメッセージを表示部３１０に表示させ、再度、作業者に入力操作を促す。
【００６３】
このほかにも、例えば、チェックボックス１１０２（１１０３）にはチェックが入れられてるにもかかわらず、対応する運転データ種別用のチェックボックス１１０４〜１１０６（１１０７〜１１０９）の何れにもチェックが入れられていない場合も入力エラーとなる。また、開始日時入力フィールド１１１０及び終了日時入力フィールド１１１１の少なくと何れか一方の入力フィールドが未入力の場合や、誤記がある場合、あるいは、終了日時が開始日時以前になっている場合等も入力エラーとなる。
【００６４】
一方、図１２に示す例のように、作業者により正しい入力が行われている場合、運転データ要求部３２３は、入力された内容に基づいて、収集データ要求コマンドを生成し、遠隔通信部３００を介して、対応するデータ収集装置２０に送信する。
【００６５】
しかる後、この収集データ要求コマンドに対する応答データが、データ収集装置２０から送られてくると、運転データ表示部３２４は、当該応答データから上述した圧縮データを抽出する。そして、運転データ表示部３２４は、この圧縮データを伸張して、１又は複数の運転データに復元する。運転データ表示部３２４は、復元した運転データの内容を表示部３１０を介して表示する。これにより、作業者は、所望の運転データを視認することができる。
【００６６】
図１３は、上記構成のデータ収集装置２０によって実行される、運転データの監視関連処理の流れを示すフローチャートである。以下の処理は、データ収集装置２０の電源がＯＮの間、繰り返し実行される。
【００６７】
遠隔通信部２１０が監視装置３０からのコマンドを受信し（ステップＳ１０１；ＹＥＳ）、かかるコマンドが一覧データ要求コマンドである場合（ステップＳ１０２；ＹＥＳ）、一覧データ送信部２２２は、運転データ記憶部２３０から一覧データを読み出す（ステップＳ１０３）。そして、一覧データ送信部２２２は、読み出した一覧データを格納した応答データを生成し、これを遠隔通信部２１０を介して監視装置３０に送信する（ステップＳ１０４）。
【００６８】
一方、受信したコマンドが収集データ要求コマンドである場合（ステップＳ１０２；ＮＯ）、運転データ送信部２２３は、収集データ要求コマンドに設定されている情報（機器アドレス、運転データの種別ＩＤ、収集期間）に基づいて、運転データ記憶部２３０の運転データテーブル２３１から要求対象となる１又は複数の運転データ（運転データ群）を読み出す（ステップＳ１０５）。
【００６９】
運転データ送信部２２３は、読み出した運転データ群を所定のアルゴリズムにより圧縮した圧縮データを生成する（ステップＳ１０６）。以下、本発明で採用可能な圧縮アルゴリズムの一例を示す。この例では、先ず、読み出した運転データ群を、機器アドレス、種別ＩＤによりグループ化する。そして、各グループにおける各運転データのデータ値を取得日時に基づいて時系列的に並べる。ここで、時系列的に並べた、あるグループのある運転データのデータ値をｘ［ｔ］（ｔ＝１，２，３，…）とする。そして、このｘ［ｔ］に対し、以下のようにしてｙ［ｔ］を求める。
【００７０】
ｙ［１］＝ｘ［１］、
ｙ［２］＝ｘ［２］−ｘ［１］、
ｙ［３］＝ｘ［３］−ｘ［２］、
：
【００７１】
そして、ｔが最大値（即ち、当該運転データの取得数）の場合のｙ[ｔ]を、圧縮後のデータとする。したがって、ここでは、各グループにおける各運転データ毎に圧縮データが生成されることになる。
【００７２】
上述の圧縮アルゴリズムは、運転データが、例えば、室内機における室内温度等である場合に有効である。この圧縮アルゴリズムでは、有効となる条件が、｜ｙ［ｔ］｜＜｜ｘ［ｔ］｜が成り立つ場合であるという制約がある。しかし、例えば、データ収集装置２０が、運転データを５分毎に収集していたとすると、室内温度については、５分間における変化幅は、元のデータ値と比較して、小さい値となる可能性が高い。即ち、上記条件が成立する可能性は高いといえる。
【００７３】
また、汎用のデータ圧縮アルゴリズムを採用するこも勿論可能である。例えば、種別ＩＤによりグループ化した運転データは、機器アドレス及び取得時刻をそれぞれ軸に取る２次元数値データと捉えることができる。したがって、同じ値が連続しているときにその値と連続する回数のみを残す連長圧縮（ランレングス圧縮）法などの可逆圧縮アルゴリズムを採用してもよい。
【００７４】
運転データ送信部２２３は、上記のようにして生成した圧縮データを格納した応答データを監視装置３０に送信する（ステップＳ１０７）。
【００７５】
続いて、上記構成の監視装置３０によって実行される、運転データの監視関連処理について、図１４のフローチャートを参照して説明する。
【００７６】
作業者により、運転データの監視を行うための所定の操作が行われると（ステップＳ２０１；ＹＥＳ）、ユーザ認証部３２１は、図６に示すようなユーザ認証画面６０１を表示部３１０を介して表示する（ステップＳ２０２）。
【００７７】
作業者により入力完了の操作が行われると（ステップＳ２０３；ＹＥＳ）、即ち、ユーザ認証画面６０１のＯＫボタン６０４が押下操作されると、ユーザ認証部３２１は、入力内容をチェックする。その結果、ユーザの入力内容が正しくない場合（ステップＳ２０４；ＮＯ）、ユーザ認証部３２１は、その旨のエラーメッセージを表示部３１０に表示させ、再度、作業者に入力操作を促す。
【００７８】
一方、入力内容が正しい場合（ステップＳ２０４；ＹＥＳ）、一覧データ要求部３２２は、接続対象選択画面７０１（図７参照）を生成して、表示部３１０を介して表示する（ステップＳ２０５）。
【００７９】
作業者により入力完了の操作が行われると（ステップＳ２０６；ＹＥＳ）、即ち、接続対象選択画面７０１のＯＫボタン７０４が押下操作されると、一覧データ要求部３２２は、入力内容をチェックする。その結果、ユーザの入力内容が正しくない場合（ステップＳ２０７；ＮＯ）、一覧データ要求部３２２は、その旨のエラーメッセージを表示部３１０に表示させ、再度、作業者に入力操作を促す。
【００８０】
一方、入力内容が正しい場合（ステップＳ２０７；ＹＥＳ）、一覧データ要求部３２２は、一覧データ要求コマンドを遠隔通信部３００を介してデータ収集装置２０に送信する（ステップＳ２０８）。
【００８１】
一覧データ要求コマンドに対するデータ収集装置２０からの応答データを受信すると（ステップＳ２０９；ＹＥＳ）、一覧データ要求部３２２は、当該応答データから抽出した一覧データと、ユーザデータテーブル３４１の当該作業者の種別に対応する開示可能範囲３４１３の内容と、に基づいて、運転データ取得候補を取得する（ステップＳ２１０）。
【００８２】
運転データ要求部３２３は、一覧データ要求部３２２により取得された運転データ取得候補に基づいて、運転データ選択画面１１０１（図１１参照）を生成し、表示部３１０を介して表示する（ステップＳ２１１）。
【００８３】
作業者により入力完了の操作が行われると（ステップＳ２１２；ＹＥＳ）、即ち、運転データ選択画面１１０１のＯＫボタン１１１２が押下操作されると、運転データ要求部３２３は、入力内容をチェックする。その結果、ユーザの入力内容が正しくない場合（ステップＳ２１３；ＮＯ）、運転データ要求部３２３は、その旨のエラーメッセージを表示部３１０に表示させ、再度、作業者に入力操作を促す。
【００８４】
一方、入力内容が正しい場合（ステップＳ２１３；ＹＥＳ）、運転データ要求部３２３は、収集データ要求コマンドを遠隔通信部３００を介してデータ収集装置２０に送信する（ステップＳ２１４）。
【００８５】
収集データ要求コマンドに対するデータ収集装置２０からの応答データを受信すると（ステップＳ２１５；ＹＥＳ）、運転データ表示部３２４は、当該応答データから抽出した圧縮データを伸張して、１又は複数の運転データに復元する（ステップＳ２１６）。そして、運転データ表示部３２４は、復元した運転データの内容を表示部３１０を介して表示する（ステップＳ２１７）。
【００８６】
以上詳細に説明したように、本実施の形態に係る遠隔監視システム２によれば、運転データの監視を行う際、データ収集装置２０に蓄積して保存されている運転データの中から、ユーザが選択した運転データのみが取得され、監視装置３０に送信される。このため、通信量の低減化が図れる。
【００８７】
また、運転データを圧縮して送信するため、通信量の低減化が一層図れる。
【００８８】
また、ユーザが指定した収集期間の運転データをまとめてデータ収集装置２０から監視装置３０へと送信できる。このため、データ収集装置２０と監視装置３０との間の通信接続時間を低減させることができる。また、過去の所望の日時の運転データを参照できることから、深夜帯の運転状態やごく低頻度で発生している運転異常等、リアルタイムに追跡することが困難な運転状態についても、これを確認し、対応作業を実施することができる。
【００８９】
また、上記のように、データ収集装置２０と監視装置３０との間の通信量や接続時間を低減できるので、例えば、従量制の料金体系を採用する通信サービスを利用せざるを得ない場合であっても、通信料金を抑えることができる。
【００９０】
また、監視装置３０は、ユーザの種別に応じて、アクセス可能な、即ち、運転データの取得が可能なデータ収集装置２０を制限することができる。このため、例えば、ビル内のあるフロアの担当者に対しては、当該フロアに設置された設備機器制御システム１についての運転データのみを確認させることができ、ビル全体の管理者やメンテナンス担当のエンジニアに対しては、ビル内に設置されている全ての設備機器制御システム１についての運転データを確認させることができる。このような運用ができることで、ユーザ毎に専用の監視装置３０を用意する必要がなく、運用コストを抑えることができる。
【００９１】
さらに、ユーザの種別に応じて、運転データの開示範囲を制限することができるので、機密保持性が強化され、誤操作防止の効果も期待できる。
【００９２】
なお、本発明は、上記実施形態に限定されず、本発明の要旨を逸脱しない範囲での種々の変更は勿論可能である。
【００９３】
例えば、監視装置３０からデータ収集装置２０に対して、一覧データの送信を要求する際、当該作業者に対応した運転データの開示範囲を指定するようにしてもよい。このようにすると、データ収集装置２０は、送信する一覧データに、当該作業者には開示できない運転データの種別ＩＤを含めなくて済むため、データ量が削減できる。
【００９４】
さらには、データ収集装置２０から監視装置３０に対して、一覧データの送信が行われない仕様にしてもよい。この場合、監視装置３０が各データ収集装置２０毎の一覧データを予め保持しておけばよい。このようにすると、一覧データの要求及び送信に係る通信を行わずに済み、データ収集装置２０と監視装置３０との間の接続時間をさらに低減させることが可能となる。
【００９５】
本発明は、本発明の広義の精神と範囲を逸脱することなく、様々な実施の形態及び変形が可能とされるものである。また、上述した実施の形態は、本発明を説明するためのものであり、本発明の範囲を限定するものではない。つまり、本発明の範囲は、実施の形態ではなく、特許請求の範囲によって示される。そして、特許請求の範囲内及びそれと同等の発明の意義の範囲内で施される様々な変形が、本発明の範囲内とみなされる。
【産業上の利用可能性】
【００９６】
本発明は、設備機器制御システムを構成する各種設備機器の運転状態の監視を遠隔から実施する様々な技術に採用され得る。
【符号の説明】
【００９７】
１  設備機器制御システム
１０  室外機
１１  室内機
１２  リモコン
２  遠隔監視システム
２０  データ収集装置
２００  機器通信部
２１０  遠隔通信部
２２０  制御部
２２１  運転データ収集部
２２２  一覧データ送信部
２２３  運転データ送信部
２３０  運転データ記憶部
２３１  運転データテーブル
３０  監視装置
３００  遠隔通信部
３１０  表示部
３２０  制御部
３２１  ユーザ認証部
３２２  一覧データ要求部
３２３  運転データ要求部
３２４  運転データ表示部
３３０  操作受付部
３４０  ユーザデータ記憶部
３４１  ユーザデータテーブル
４０  ネットワーク
【図１】
2013042246.tif 000003
【図２】
2013042246.tif 000004
【図３】
2013042246.tif 000005
【図４】
2013042246.tif 000006
【図５】
2013042246.tif 000007
【図６】
2013042246.tif 000008
【図７】
2013042246.tif 000009
【図８】
2013042246.tif 000010
【図９】
2013042246.tif 000011
【図１０】
2013042246.tif 000012
【図１１】
2013042246.tif 000013
【図１２】
2013042246.tif 000014
【図１３】
2013042246.tif 000015
【図１４】
2013042246.tif 000016
【手続補正書】
【提出日】平成26年2月3日(2014.2.3)
【手続補正２】
【補正対象書類名】明細書
【補正対象項目名】０００１
【補正方法】変更
【補正の内容】
【０００１】
本発明は、設備機器制御システムを構成する空調機器や照明機器等の各種設備機器の運転状態の監視を遠隔から実施するための遠隔監視システム、データ収集装置、監視装置、遠隔監視方法及びプログラムに関する。
【手続補正３】
【補正対象書類名】明細書
【補正対象項目名】００１２
【補正方法】変更
【補正の内容】
【００１２】
上記目的を達成するため、本発明に係る遠隔監視システムは、
データ収集装置と、監視装置と、を備える遠隔監視システムであって、
前記データ収集装置は、
設備機器制御システムを構成する設備機器とデータ通信を行う機器通信部と、
前記監視装置とデータ通信を行う第１の遠隔通信部と、
前記設備機器の運転状態を示す運転データを収集する運転データ収集部と、
前記運転データ収集部が収集した前記運転データを記憶する運転データ記憶部と、
前記監視装置から送信された一覧データ要求コマンドを受信すると、前記設備機器のＩＤと、前記運転データの種別と、を対応付けた一覧データを前記監視装置に送信する一覧データ送信部と、
前記運転データ記憶部から読み出した運転データを前記監視装置に送信する運転データ送信部と、を備え、
前記監視装置は、
前記データ収集装置とデータ通信を行う第２の遠隔通信部と、
ユーザからの操作入力を受け付ける操作受付部と、
ユーザ毎に開示可能な運転データの種別が定義されたユーザデータテーブルを記憶するユーザデータ記憶部と、
ユーザにより、運転データの監視を要求する操作入力が行われると、一覧データ要求コマンドを前記データ収集装置に送信する一覧データ要求部と、
前記データ収集装置から受信した前記一覧データと、前記ユーザデータテーブルと、に基づいて、ユーザが選択可能な運転データの種別を取得し、取得した運転データの種別の中から、所望の運転データの種別をユーザに選択させる運転データ要求部と、を備える。
【手続補正４】
【補正対象書類名】特許請求の範囲
【補正対象項目名】全文
【補正方法】変更
【補正の内容】
【特許請求の範囲】
【請求項１】
データ収集装置と、監視装置と、を備える遠隔監視システムであって、
前記データ収集装置は、
設備機器制御システムを構成する設備機器とデータ通信を行う機器通信部と、
前記監視装置とデータ通信を行う第１の遠隔通信部と、
前記設備機器の運転状態を示す運転データを収集する運転データ収集部と、
前記運転データ収集部が収集した前記運転データを記憶する運転データ記憶部と、
前記監視装置から送信された一覧データ要求コマンドを受信すると、前記設備機器のＩＤと、前記運転データの種別と、を対応付けた一覧データを前記監視装置に送信する一覧データ送信部と、
前記運転データ記憶部から読み出した運転データを前記監視装置に送信する運転データ送信部と、を備え、
前記監視装置は、
前記データ収集装置とデータ通信を行う第２の遠隔通信部と、
ユーザからの操作入力を受け付ける操作受付部と、
ユーザ毎に開示可能な運転データの種別が定義されたユーザデータテーブルを記憶するユーザデータ記憶部と、
ユーザにより、運転データの監視を要求する操作入力が行われると、一覧データ要求コマンドを前記データ収集装置に送信する一覧データ要求部と、
前記データ収集装置から受信した前記一覧データと、前記ユーザデータテーブルと、に基づいて、ユーザが選択可能な運転データの種別を取得し、取得した運転データの種別の中から、所望の運転データの種別をユーザに選択させる運転データ要求部と、を備える遠隔監視システム。
【請求項２】
前記データ収集装置の前記運転データ送信部は、前記運転データ記憶部から読み出した１又は複数の運転データを予め定めた方式で圧縮した圧縮データを生成し、生成した圧縮データを前記監視装置に送信し、
前記監視装置は、前記データ収集装置から受信した前記圧縮データを伸張して、１又は複数の運転データを復元し、復元した１又は複数の運転データの内容を表示装置に表示させる運転データ表示部をさらに備える請求項１に記載の遠隔監視システム。
【請求項３】
前記運転データは、数値データであり、
前記データ収集装置の前記運転データ送信部は、前記運転データ記憶部から読み出した複数の運転データを設備機器のＩＤ及び運転データの種別でグループ化し、各グループにおいて、時系列に沿って運転データの差分を抽出することで前記圧縮データを生成する、請求項２に記載の遠隔監視システム。
【請求項４】
前記監視装置の前記運転データ要求部は、ユーザに、前記所望する種別の運転データについて、所望の収集期間をさらに選択させ、前記選択された運転データの種別と、前記選択された収集期間と、を指定した収集データ要求コマンドを生成し、生成した収集データ要求コマンドを前記データ収集装置に送信し、
前記データ収集装置の前記運転データ送信部は、前記監視装置から送信された前記収集データ要求コマンドを受信すると、前記収集データ要求コマンドの内容に応じて前記運転データ記憶部から読み出した運転データを前記監視装置に送信する、請求項１から３の何れか１項に記載の遠隔監視システム。
【請求項５】
前記データ収集装置は、複数存在し、それぞれ異なる設備機器制御システムに対応し、
前記監視装置において、
前記ユーザデータテーブルには、さらに、ユーザ毎にアクセスが可能なデータ収集装置が定義されており、
前記一覧データ要求部は、ユーザにより、運転データの監視を要求する操作入力が行われると、当該ユーザによるアクセスが可能でないデータ収集装置に前記一覧データ要求コマンドを送信しない請求項１から４の何れか１項に記載の遠隔監視システム。
【請求項６】
設備機器制御システムを構成する設備機器とデータ通信を行う機器通信部と、
監視装置とデータ通信を行う遠隔通信部と、
前記設備機器の運転状態を示す運転データを収集する運転データ収集部と、
前記運転データ収集部が収集した前記運転データを記憶する運転データ記憶部と、
前記監視装置から送信された一覧データ要求コマンドを受信すると、前記設備機器のＩＤと、前記運転データの種別と、を対応付けた一覧データを前記監視装置に送信する一覧データ送信部と、
前記運転データ記憶部から読み出した運転データを前記監視装置に送信する運転データ送信部と、を備えるデータ収集装置。
【請求項７】
前記運転データ送信部は、前記運転データ記憶部から読み出した１又は複数の運転データを予め定めた方式で圧縮した圧縮データを生成し、生成した圧縮データを前記監視装置に送信する請求項６に記載のデータ収集装置。
【請求項８】
設備機器制御システムを構成する設備機器の運転状態を示す運転データを収集するデータ収集装置とデータ通信を行う遠隔通信部と、
ユーザからの操作入力を受け付ける操作受付部と、
ユーザ毎に開示可能な運転データの種別が定義されたユーザデータテーブルを記憶するユーザデータ記憶部と、
ユーザにより、運転データの監視を要求する操作入力が行われると、一覧データを要求するための一覧データ要求コマンドを前記データ収集装置に送信する一覧データ要求部と、
前記データ収集装置から受信した前記一覧データと、前記ユーザデータテーブルと、に基づいて、ユーザが選択可能な運転データの種別を取得し、取得した運転データの種別の中から、所望の運転データの種別をユーザに選択させる運転データ要求部と、を備える監視装置。
【請求項９】
前記データ収集装置から送信された圧縮データを受信すると、前記圧縮データを伸張して、１又は複数の運転データを復元し、復元した１又は複数の運転データの内容を表示装置に表示させる運転データ表示部をさらに備える請求項８に記載の監視装置。
【請求項１０】
監視装置が、ユーザにより、設備機器の運転状態を示す運転データの監視を要求する操作入力が行われると、一覧データ要求コマンドをデータ収集装置に送信し、
前記データ収集装置が、前記監視装置から送信された前記一覧データ要求コマンドを受信すると、前記設備機器のＩＤと、前記運転データの種別と、を対応付けた一覧データを前記監視装置に送信し、
前記監視装置が、前記データ収集装置から受信した前記一覧データと、ユーザ毎に開示可能な運転データの種別が定義されたユーザデータテーブルと、に基づいて、ユーザが選択可能な運転データの種別を取得し、取得した運転データの種別の中から、所望の運転データの種別をユーザに選択させる遠隔監視方法。
【請求項１１】
コンピュータを、
監視装置から送信された一覧データ要求コマンドを受信すると、収集対象の設備機器のＩＤと、前記設備機器の運転状態を示す運転データの種別と、を対応付けた一覧データを前記監視装置に送信する一覧データ送信部、
前記設備機器から収集した運転データを記憶する運転データ記憶部から読み出した運転データを前記監視装置に送信する運転データ送信部、として機能させるプログラム。
【請求項１２】
コンピュータを、
ユーザにより、設備機器の運転状態を示す運転データの監視を要求する操作入力が行われると、一覧データを要求するための一覧データ要求コマンドをデータ収集装置に送信する一覧データ要求部、
前記データ収集装置から受信した前記一覧データと、ユーザ毎に開示可能な運転データの種別が定義されたユーザデータテーブルと、に基づいて、ユーザが選択可能な運転データの種別を取得し、取得した運転データの種別の中から、所望の運転データの種別をユーザに選択させる運転データ要求部、として機能させるプログラム。
【国際調査報告】
2013042246.tif 000017
2013042246.tif 000018
2013042246.tif 000019
2013042246.tif 000020